(57)【要約】      （修正有）【課題】杖を使用する者が転倒することにより手から離れた杖が傾斜状態で倒れた場合であっても、確実に警報音を発して救助を求めることができる杖を提供する。【解決手段】棒部材２の上端に把持部３を有する杖１であって、杖１には電池５と、電池５により駆動される傾斜角検出器６と、傾斜角検出器６からの信号を演算する制御部７と、制御部７からの出力により杖１が水平面から所定の角度になると警報音を発する警報器と、を備える。【選択図】図１
0003224619.tif 000002
【実用新案登録請求の範囲】
【請求項１】
棒部材の上端に把持部を有する杖であって、前記杖には電池と、前記電池により駆動される傾斜角検出器と、前記傾斜角検出器からの信号を演算する制御部と、前記制御部からの出力により前記杖が水平面から所定の角度になると警報音を発する警報器と、を備えたことを特徴とする杖。
【請求項２】
前記所定の角度が１５度±５度であることを特徴とする請求項１記載の杖。
【請求項３】
前記電池が充電可能な二次電池であって、外部電源から前記二次電池に充電するための充電ポートを備えたことを特徴とする請求項１または請求項２記載の杖。
【請求項４】
前記警報音のオン／オフ設定機能および一時的解除機能を備えたことを特徴とする請求項１〜３の何れか１項に記載の杖。
【請求項５】
前記把持部に照明用ライトおよび／またはラジオを備えたことを特徴とする請求項１〜４の何れか１項に記載の杖。
【請求項６】
前記警報音が前記ラジオのスピーカにより発せられることを特徴とする請求項５記載の杖。
【考案の詳細な説明】
【技術分野】
【０００１】
本考案は、脚の筋力が衰えた高齢者などが歩行補助具として使用する杖に関する。
【背景技術】
【０００２】
脚の筋力が衰えた高齢者などは歩行補助具として杖を使用することが多い。脚の筋力が衰えると歩行の際、脚の持ち上げ量が少なくなり、歩行する地面等に僅かの凹凸があっても躓いて転倒することがあるためである。また、階段を昇降する際、特に階段を降りるときに躓いて転倒すると重大事故に繋がることもある。このような事情から、高齢者などは転倒防止のために歩行補助具として杖を使用しているが、杖を使用していても運悪く転倒することもある。また、高齢者は脚の筋力が衰えているだけでなく、骨粗鬆症などにより程度の差はあれ骨が脆くなっており、転倒により骨折することもある。このような高齢者が転倒すると自力では起き上がれず、他人に救助を求めることが必要になる。
【０００３】
そこで、従来から、杖を使用する者が転倒した際、杖に転倒を検知するセンサと警報音を発するブザー等を備え、転倒した場合に警報音を発して他人に知らせることができる杖が提案されている。
【０００４】
例えば、杖の内部に杖の動きを感知するモーションセンサを備えるとともに、警報音を発するスピーカを備え、杖を使用する歩行者が転倒した場合、スピーカから警報音を発して周囲に報知することができる杖がある（特許文献１参照）。
【０００５】
また、杖の内部に傾斜センサを備えるとともに、警報音を発するスピーカを備え、杖を使用する歩行者が転倒した場合、スピーカから警報音を発して周囲に報知することができる杖がある（特許文献２参照）。
【０００６】
さらに、杖の内部に杖の平衡状態を感知するための水平センサを備えるとともに、警報音を発するスピーカを備え、杖を使用する歩行者が転倒した場合、スピーカから警報音を発して周囲に報知することができる杖がある（特許文献３参照）。
【先行技術文献】
【特許文献】
【０００７】
【特許文献１】特開２００６−３１４７４６号公報
【特許文献２】特開２０１１−７８４４５号公報
【特許文献３】特開２０１７−１８５２３０号公報
【考案の開示】
【考案が解決しようとする課題】
【０００８】
上記従来技術による杖では、杖を使用する者が転倒することにより手から離れた杖が、略水平に倒れた状態を各種センサで検知するものである。杖が使用者の手から離れると、杖は自立できずに倒れることになるが、倒れた杖は必ずしも略水平状態になるとは限らない。例えば使用者の手から離れた杖の一端側だけが歩道の縁石等の上に載り、倒れた杖が傾斜状態になることがある。このような場合、従来技術による杖では略水平に倒れた状態を検知して警報音が発せられるため、倒れた杖が傾斜状態であると警報音は発せられないという問題がある。
【０００９】
そこで、本考案に係る杖では、杖が略水平状態でない水平面から所定の角度を有する状態で倒れた場合であっても、確実に警報音を発して杖を使用する者を救助できる杖を提供することを課題とする。
【課題を解決するための手段】
【００１０】
請求項１記載の考案は、棒部材の上端に把持部を有する杖であって、前記杖には電池と、前記電池により駆動される傾斜角検出器と、前記傾斜角検出器からの信号を演算する制御部と、前記制御部からの出力により前記杖が水平面から所定の角度になると警報音を発する警報器と、を備えたことを特徴とする杖である。
【００１１】
請求項２記載の考案は、請求項１記載の杖において、前記所定の角度が１５度±５度であることを特徴とする杖である。
【００１２】
請求項３記載の考案は、請求項１または請求項２記載の杖において、前記電池が充電可能な二次電池であって、外部電源から前記二次電池に充電するための充電ポートを備えたことを特徴とする杖である。
【００１３】
請求項４記載の考案は、請求項１〜３の何れか１項に記載の杖において、前記警報音のオン／オフ設定機能および一時的解除機能を備えたことを特徴とする杖である。
【００１４】
請求項５記載の考案は、請求項１〜４の何れか１項に記載の杖において、前記把持部に照明用ライトおよび／またはラジオを備えたことを特徴とする杖である。
【００１５】
請求項６記載の考案は、請求項５記載の杖において、前記警報音が前記ラジオのスピーカにより発せられることを特徴とする杖である。
【考案の効果】
【００１６】
本考案に係る杖によれば、杖を使用する者が転倒することにより手から離れた杖の一端だけが歩道の縁石等の上に載るなどして、倒れた杖が傾斜状態であっても、確実に警報音を発して救助を求めることができる。
【図面の簡単な説明】
【００１７】
【図１】本考案に係る杖の外観図である。
【図２】図１のＡ−Ａ矢視図である。
【図３】図１のＢ−Ｂ矢視図である。
【図４】本考案に係る杖が傾いて倒れた状態を示す外観図である。
【考案を実施するための形態】
【００１８】
本考案に係る杖の実施の形態について、図１〜図４に基づいて説明する。本考案に係る杖１は、図１の外観図に示すように棒部材２の上端に把持部３を有するとともに、棒部材２の下端に弾性材料からなる杖先４が着脱可能に装着されている。
【００１９】
把持部３の内部には、充電可能な二次電池５と、前記電池５により駆動される傾斜角検出器６と、前記傾斜角検出器６からの信号を演算する制御部７と、ＦＭラジオ８とが備えられている。
【００２０】
把持部３は、正面視において略Ｔ字状に形成され、棒部材２の上端に結合されている。棒部材２との結合部近くの把持部周側面には、警報音のオン／オフ設定操作時に１回だけ点滅する点滅ランプ９が設けられている。また、把持部３の正面側の側面には、ＦＭラジオ８を操作するラジオ操作ボタン１０が設けられている。
【００２１】
図２に示すように把持部３の前端側には、照明用ライト１１が備えられている。照明用ライト１１は、照明光ビームの向きを上下方向に調整可能な構造とされており、ハイビーム状態に加え、３段階のロービーム状態に調整することができる。
【００２２】
さらに、図３に示すように把持部３の後端側には、杖１が水平面から所定の角度になると、制御部７からの出力によりアラームとしての警報音を発する警報器１２が備えられている。この警報音は、ＦＭラジオのスピーカを兼ねる警報器１２によって発せられる。また、この警報器１２は、警報音のオン／オフ設定操作時に、操作確認音「ピッ」を発する機能を有する。
【００２３】
棒部材２との結合部近くの把持部前側面には、外部電源から二次電池５に充電するための充電ポート１３が備えられ、マイクロＵＳＢ(Universal Serial Bus)端子が接続可能とされている。このことにより、付属品であるＡＣアダプタおよびＵＳＢ(Universal Serial Bus)コードを用いて外部電源から二次電池５に充電することができる。また、充電ポート１３の近傍には、ＬＥＤランプ１４が設けられている。このＬＥＤランプ１４は、充電中であることを表示する充電ランプ（赤色点灯）、および警報音設定操作中であることを表示する設定ランプ（緑色点滅）としての機能を兼ねている。
【００２４】
把持部３の前端寄りの上面には、設定ボタン１５が設けられている。この設定ボタン１５は、警報音のオン／オフ設定機能および一時的解除機能、ならびに照明用ライト１１の操作機能を兼ねている。
【００２５】
本考案に係る杖１では、図４に示すように杖１が倒れたときに警報音を発する傾斜角度は、１５度±５度に設定されている。このような角度に設定したのは、杖１を使用する者が転倒することにより手から離れた杖１は、自立できずに倒れることになるが、倒れた杖１は必ずしも略水平状態になるとは限らない。杖１の両端のうち一端だけが歩道の縁石等の上に載り、倒れた杖１が傾斜状態になることがあることを考慮したものである。
【００２６】
ここで、本考案に係る杖１の使用方法について説明する。先ず、警報音機能のオン設定操作について説明する。警報音機能をオンに設定するときは、操作確認音「ピッ」が発するまで設定ボタン１５を約３秒間長押しする。そうすると、設定ランプ（緑色）１４が点滅し始める。設定ランプ１４が約３秒間隔で点滅することで、警報音機能がオン状態であることを確認することができる。次に、警報音機能のオフ設定操作について説明する。警報音機能をオフに設定するときは、オン状態において、操作確認音「ピッ」が発するまで設定ボタン１５を約３秒間長押しする。そうすると、設定ランプ（緑色）１４が消える。設定ランプ１４が消えることで警報音機能がオフ状態であることを確認することができる。
【００２７】
なお、警報音が発せられている状態で、警報音を解除したい場合には、設定ボタン１５を１回押すことで警報音を一時的に解除することができる。また、警報音機能のオン／オフ設定時には、いずれも点滅ランプ９が１回だけ点滅するようになっている。
【００２８】
次に、照明用ライト１１の使用方法について説明する。本考案に係る杖１は夜間や暗所でも、懐中電灯の代わりに使用することができる。照明用ライト１１の操作は、設定ボタン１５を短押しすることで行うことができる。設定ボタン１５は約３秒間の長押しで設定操作を行うことができるが、長押しではなく１秒未満の短押しでは、照明用ライト１１の操作ボタンとして機能する。照明用ライト１１がオフ状態で、操作ボタン１５を１回押すと照明用ライト１１は点灯する。次に照明用ライト１１が点灯している状態で、操作ボタン１５を１回押すと照明用ライト１１は、点灯＋点滅モードになる。その状態でさらに操作ボタン１５を１回押すと照明用ライト１１はオフとなる。
【００２９】
ＦＭラジオ８の操作は、把持部３の正面側の側面に設けられたラジオ操作ボタン１０により行う。このラジオ操作ボタン１０の操作により、ＦＭラジオ８のオン／オフ、選局、音量調整を行うことができるが、ＦＭラジオ８の音量調整に拘わらず、警報音の音量は約１２０デシベルに設定されている。警報音は、杖１を使用する者が転倒した場合に警報音を発して他人に知らせるものだからである。
【００３０】
以上、本考案に係る杖１の実施例について説明したが、本考案は上述した実施例に限定されるものではない。たとえば実施例では、把持部３の前端寄りの上面に設定ボタン１５を設けているが、設定ボタン１５は把持部３の側面など他の部位に設けてもよい。また、充電ポート１３や設定ランプ１４についても、実施例とは異なる部位に設けてもよい。
【符号の説明】
【００３１】
１  杖
２  棒部材
３  把持部
５  二次電池
６  傾斜角検出器
７  制御部
８  ＦＭラジオ
１１  照明用ライト
１２  警報器（スピーカ）
１３  充電ポート
【図１】
0003224619.tif 000003
【図２】
0003224619.tif 000004
【図３】
0003224619.tif 000005
【図４】
0003224619.tif 000006